(57)【要約】【課題】  掲示板に掲示物を掲示したり、取り外したりするような作業において、掲示物のサイズが変化しても楽に操作して掲示できるようにし、掲示効果を高めるとともに、掲示物周辺の美観を損ねないようにする。【解決手段】  剛性のある下地材２に、透明なプラスチックフィルムの下辺と両側側面を留付けてポケット３とし、このポケット３よりも上方に、透明なプラスチックフィルムの両側側面を留付けて帯４を形成し、掲示物６を帯４の裏側を通してポケット３と下地材２の間に挿し込み、掲示できるようにする。また、ポケット３と帯４は上下方向に複数配置し、帯４はポケット３の上辺に重ならないように配置する。【選択図】      図２
2015064533.tif 000002
【特許請求の範囲】
【請求項１】
下地材上にポケットと帯とを有してなる掲示板であって、
ポケットは、下地材の掲示面側に下辺部と両側辺部とが固定され、下地材の幅方向に対して水平に設置されてなるものであり、
帯は、ポケットよりも上方に少なくとも一つ配設されるものであって、下地材の掲示面側に両側辺部が固定され、下地材の幅方向に対して水平に設置されてなるものであり、
ポケットと帯は、掲示物が透視可能な素材にて形成されることを特徴とする掲示板。
【請求項２】
下地材上に複数のポケットと複数の帯とを有してなる掲示板であって、
各ポケットは、下地材の掲示面側に下辺部と両側辺部とが固定され、下地材の幅方向に対して水平に設置されてなるものであり、
各帯は、下地材の掲示面側に両側辺部が固定され、下地材の幅方向に対して水平に設置されてなるものであり、
ポケット同士および帯同士はお互いの位置が重ならないように配置されるとともに、各帯は各ポケットの上辺と重ならないように配置され、
ポケットと帯は、掲示物が透視可能な素材にて形成されることを特徴とする掲示板。  
【請求項３】
下地材は、剛性があって撓みにくい素材であることを特徴とする請求項１または２に記載の掲示板。
【発明の詳細な説明】
【技術分野】
【０００１】
本発明は、印刷物やポスターなどの掲示物を掲示する際、掲示物の固定が簡便で取り外しも容易であり、しかも貼り跡等の汚れがなくて美観を損なわない掲示板に関する。
【背景技術】
【０００２】
従来、例えば印刷物やポスターなどの掲示物を掲示する掲示板として、掲示物の周縁部を画鋲で留め付けたり、接着テープなどで貼り付けたりすることで、掲示物を固定する方法が一般的であるが、クリップを使用して掲示物を固定したり（例えば、特許文献１参照）、磁力で吸着保持したり（例えば、特許文献２参照）するような技術も知られている。
一方、工事現場などで安全管理上の伝達事項などを表示するシート状の安全掲示板として、シートの周縁部に紐等を通すためのハトメを設け、シートの表面に、表示内容が記載されるカードを挿入可能なポケットを設け、シートの表面に、マーカーで書き込み払拭可能なフィルムをコーティングするような技術も知られている（例えば、特許文献３）。
【先行技術文献】
【特許文献】
【０００３】
【特許文献１】特開２００６−１１６０３３号公報
【特許文献２】特開２００４−１９１９００号公報
【特許文献３】実用新案登録第３１５６７２９号公報
【発明の概要】
【発明が解決しようとする課題】
【０００４】
ところで、掲示物を固定する際、固定が充分でないと、例えば強い風が吹いたような場合に掲示物が落下するような不具合があり、また、掲示物を掲示したり取り外したりするような際に、テープ類を使って固定したりすると貼り跡が残ったり、掲示物の周縁部が破れて掲示物周辺の美観を損なったりする不具合があり、また、画鋲等を使用するような場合には、落とした画鋲を踏みつけて怪我をする等の事故が起こり得た。
また、前記特許文献１や２のクリップや磁力で固定するような方法は、構造が複雑になるとともに、掲示物を掲示したり、取り外したりするような作業が煩雑となりがちで、手間がかかるという問題があり、前記特許文献３のように、シートの表面にポケットを設けるような技術は、掲示するカードのサイズが定まったもので、ポケットのサイズを越える掲示物を掲示するのが困難であるという問題があった。
【０００５】
そこで本発明は、掲示板に掲示物を掲示したり、取り外したりするような作業において、掲示物のサイズが変化しても楽に操作できるようにし、掲示効果を高めるとともに、掲示物の掲示物周辺の美観を損ねないようにし、更に簡素に構成できるようにすることを目的とする。
【課題を解決するための手段】
【０００６】
上記目的を達成するため本発明は、掲示物が掲示される掲示板用下地材の掲示面側に、下辺部と両側辺部が下地材に固定されるポケットを下地材の幅方向に対して水平に配設し、ポケットよりも上方には、少なくとも一つ、両側辺部が下地材に固定される帯を下地材の幅方向に対して水平に配設し、これらポケットと帯とを、保持する掲示物が透視可能な素材にて形成するようにした。
【０００７】
そして、この下地材に固定した帯の裏側を通して、ポケットと下地材の間に掲示物を挿し込むことにより掲示物の下端部を保持するとともに、帯によって掲示物の高さ方向中間部あるいは上部を保持するようにすれば、掲示物を帯とポケットの上部から挿し込むだけで掲示物が綺麗に固定され、また、掲示物を取り除く際は、掲示物を上方に引き抜くだけで取り除くことができ、抜き差し操作が簡単であるとともに、掲示物のサイズが変更されても、容易に対応できる。また、ポケットと帯を透視可能な素材にしているため、外部から掲示物が視認可能であり、しかも、貼り跡等によって掲示物の周辺の美観が損なわれることがなく、さらに簡素に構成できる。
また、帯を複数設置すれば、さまざまなサイズの掲示物を固定することが可能となる。
なお、ポケットは、下地材の最下端部に設けることが好ましく、掲示物がＢ５〜Ａ３サイズの紙の場合、ポケットの深さとしては、１２０〜２００ｍｍ程度が好ましい。帯４の幅は、５〜４０ｍｍであることが好ましい。５ｍｍ未満であると、掲示物を確実に保持できなくなる可能性があり、４０ｍｍを越えると、掲示物が挿し込みにくくなる可能性がある。
また、ポケットと帯の透視性としては、視認性を確保するため、ヘイズ値が１５％以下のプラスチックフィルムであることが好ましい。
更に、ポケットや帯のプラスチックフィルムとしては、掲示物をスムーズに出し入れするため、滑性を有することが好ましく、具体的には、ＪＩＳ  Ｋ  ７１２５に準拠して算出される動摩擦係数が０．７以下であることが望ましい。
【０００８】
また、本発明では、複数のポケットと複数の帯を下地材に対して上下方向に配設し、ポケット同士および帯同士はお互いの位置が重ならないように配置するとともに、各帯は各ポケットの上辺と重ならないように配置されることが好ましい。
このように、ポケットと帯を上下方向に複数配設すれば、多数の掲示物を綺麗に掲示することができ、この際、各帯を各ポケットの上辺と重ならないように配置すれば、帯を通して下段のポケットに掲示物を収容する際、上段のポケットの開口部に手をかけてどこに挿入すべきか戸惑うような不具合がなく、掲示物をスムーズに掲示することができる。
なお、最下段以外のポケットの深さとしては、６０〜１００ｍｍ程度が好ましい。
【０００９】
また本発明では、前記下地材を、剛性があって撓みにくい素材であることが好ましい。
下地材に剛性がなくて撓みやすいと、下地材の変形に伴ってポケットや帯も撓んで変形し、掲示物の保持能力が低下するためである。剛性のある材料としては、例えばベニア板や硬質樹脂板やプラスチックダンボール等が適用可能であるが、取り扱い上軽量であることが好ましいため、特にプラスチックダンボールが好適である。この際、下地材の曲げ弾性率としては（ＡＳＴＭ  Ｄ７９０に準拠）、ＭＤ方向において５０ＭＰａ以上であることが望ましい。なお、プラスチックダンボールはリブに沿って撓みやすいため、ＭＤ方向を掲示板の幅方向に、ＴＤ方向を掲示板の高さ方向にして使用することが好ましい。
【発明の効果】
【００１０】
掲示板用下地材にポケットと帯を配設し、このポケットと帯によって掲示物を保持すると同時に、保持する掲示物が透視可能にすることによって、掲示物の掲示・撤去作業を楽に行えるようになる。
この際ポケットと帯を上下方向に複数配置することによって、サイズの異なる多数の掲示物を掲示できるようになる。しかも、掲示物の高さがポケットの深さよりも大きい掲示物であっても、ポケットとともに帯が掲示物を保持するため、掲示物の上部が垂れ下がってくることはない。また、下地材の材質を撓みにくくすることで、掲示物の保持能力を維持することができる。
【図面の簡単な説明】
【００１１】
【図１】本発明に係る掲示板の基本構成と作成要領の一例を示し、（ａ）は作成要領の一例の説明図、（ｂ）は掲示物を掲示した状態の説明図である。
【図２】ポケットと帯を二つずつ設けた場合の説明図であり、(ａ)は構成例図、（ｂ）は掲示物を掲示した状態の説明図である。
【発明を実施するための形態】
【００１２】
本発明の実施例について説明する。
本発明に係る掲示板は、掲示板に掲示物を掲示したり、取り外したりするような作業において、掲示物のサイズや量が変化しても簡単に操作して掲示できるようにし、掲示効果を高めるとともに、掲示物の掲示物周辺の美観を損ねず、極めて簡素に構成できることを特徴としている。
【００１３】
そこで、本発明に係る掲示板１の基本構成と作成要領の一例を示すと、図１（ａ）に示すように、所定サイズの下地材２と、ポケット３を形成するための透明性のあるプラスチックフィルムと、帯４を形成するための透明性のあるプラスチックフィルムを準備し、ポケット３の横幅と帯４の横幅は、下地材２の横幅と同一かまたは若干長めとし、本実施例では、下地材２の横幅より長めにすることで、両端部を裏側に折り返して下地材２の裏側に固定できるようにしている。また、ポケット３を形成するためのフィルムの下端部の裏側には、フィルムを下地材１に固定するための接着テープ５を貼り付けている。
なお、接着テープの代わりに、高周波ウェルダー溶着や熱融着、粘着剤や接着剤等で固定するようにしてもよい。
【００１４】
そして、ポケット３を形成するためのフィルムと、帯４を形成するためのフィルムに横方向にテンションをかけて張った状態にし、ポケット３については、下端部の接着テープ５を下地材１の下端部に沿って貼着して固定した後、帯４を形成するためのフィルムは、ポケット３の上辺から所定間隔開けた状態で、それぞれの両端部を下地材２の裏側に巻き込んで接着テープ等で固定するようにしている。
この場合も、上記を同様に、高周波ウェルダー溶着や熱融着、粘着剤や接着剤等で固定してもよい。
【００１５】
このような方法で成形した掲示板１は、下地材２にテンションをかけた状態のポケット３や帯４を取り付けるため、下地材２の材質としては、ポケット３や帯４のフィルムのテンションでは変形せず、しかも経時変化しない程度の曲げ剛性を有し、しかも、軽量であることが取り扱い上好ましく、例えば、ベニア板や硬質樹脂板やプラスチックダンボール等が適用可能であるが、特にプラスチックダンボールが好適であり、特に、曲げ弾性率としては（ＡＳＴＭ  Ｄ７９０に準拠）、ＭＤ方向において５０ＭＰａ以上であることが好ましい。
【００１６】
そして、このような掲示板１は、図１（ｂ）に示すように、帯４の裏側を通して掲示物６を挿し込み、ポケット３と下地材２の間に挿し込んで掲示物６を保持するため、ポケット３や帯４の材質は、透明性があって外部から掲示物を視認することができ、しかも引っ張っても伸びたり白化したりしないような引張強度を有し、また、経時的にも白化や黄変することのないような耐候性のある素材が好ましい。
【００１７】
また、ポケット３や帯４のプラスチックフィルムは、掲示物６を円滑に出し入れするため滑性を有することが望ましく、ＪＩＳ  Ｋ  ７２１５に準拠して算出される動摩擦係数が０．７以下であることが好ましい。また、これらポケット３や帯４のプラスチックフィルムの透明度としては、ヘイズ値が１５％以下であることが視認性を良好にする点から好ましいことが判明している。
【００１８】
次に、ポケット３や帯４を、下地材２に対して上下方向に複数配設するようにした実施例について図２に基づき説明する。
【００１９】
この実施例では、ポケットと帯を二つずつ設けており、ポケット３ａ、３ｂ同士および帯４ａ、４ｂ同士が重ならないように配置されるとともに、帯４ａ、４ｂは、ポケット３ａ、３ｂの上辺と重ならないように配置されている。
【００２０】
そして、このようにポケット３と帯４を複数配設することで、より多数の掲示物６を掲示できるのみならず、例えば、図２（ｂ）に示すように、掲示物６のサイズが異なるような場合でも確実に保持し固定することができ、しかも、例えば図２（ｂ）の左方の例のように上下２段に掲示物を掲示する場合、下方の掲示物６を下段の帯４ａとポケット３ａに挿し込むような際に、帯４ａが上段のポケット３ｂの上辺と重ならず位置がわかり易いため、上段のポケット３ｂの上辺開口部に手がかかって戸惑うような不具合がない。
【００２１】
なお、掲示物６を掲示する際、掲示物６のサイズなどによって、どのポケット３とどの帯４を組み合わせて使用するかは任意であり、図２（ｂ）の右方の例に示すように、掲示物が大きい場合には、最下段のポケット３ａと、上段の帯４ｂを組み合わせて使用しても良い。また、図２（ｂ）の右方のような掲示物の場合、より確実に掲示物を保持するために、最下段のポケット３ａと、下段の帯４ａ、上段の帯４ｂを組み合わせて使用してもよい。
そしてこのように、ポケット３と帯４を複数配設する場合、特に、掲示物６の上半分に重要な掲示内容が記載され、下半分に、掲示内容が記載されていないかまたはあまり重要でない掲示内容が記載されているような場合には、図２（ｂ）の左方に示すような掲示方法が有効である。
【００２２】
なお、複数のポケット３と複数の帯４を組み合わせて使用する場合、最下段のポケット３（図２の場合、ポケット３ａ）の深さを１２０〜２００ｍｍ程度にし、その他のポケット３（図２の場合、ポケット３ｂ）の深さを６０〜１００ｍｍ程度にすれば、掲示物６が沢山重なり合う箇所が最小となって、便利であることが判明している。
【００２３】
本発明によれば、掲示物６の高さがポケットの深さよりも大きい場合であっても（例えば、図２（ｂ）の右方のように、掲示物の長さがポケットの深さの２倍以上であっても）、帯４によって、掲示物６の高さ方向中間部や上部を確実に保持できる。そのため、ポケット３を浅く設定することができ、多くの掲示物を掲示することが可能となるのである。    
【００２４】
そして、このような掲示板１は、人目につきやすい任意の箇所のボードなどに立てかけておくか、または、下地材２を固定しておくことにより、掲示物６を掲示するが、掲示物６のサイズが異なっても掲示物６の固定作業や入れ替え作業等が容易に行え、しかも、掲示物６の周辺が綺麗に保てるため、見栄えが良い。また、簡素な構成で作成も容易なので便利である。
【００２５】
なお、本発明は以上のような実施形態に限定されるものではない。本発明の特許請求の範囲に記載される事項と実質的に同一であり、同一の作用効果を奏するものは本発明の技術的範囲に属する。
例えば、ポケット３と帯４の数は任意であり、また、ポケット３と帯４の数は同じでなくてもよい。
【産業上の利用可能性】
【００２６】
簡単な手順で安価に作成することができ、掲示物を掲示したり、取り外したりするような作業において、掲示物のサイズが変化しても容易に操作して掲示でき、掲示効果が高められると同時に、掲示物の掲示物周辺の美観を損ねないため、広い範囲での普及が期待される。
【符号の説明】
【００２７】
１…掲示板、２…下地材、３、３ａ、３ｂ…ポケット、４、４ａ、４ｂ…帯、６…掲示物
【図１】
2015064533.tif 000003
【図２】
2015064533.tif 000004